(57)【要約】【課題】電線をハウジングの後面から任意方向に引き出すことができるカバー付きのコネクタを提供する。【解決手段】ハウジング１０の後面には、引き出された電線Ｗの回りを覆う電線カバー２０が装着され。電線カバー２０は、ハウジング１０に取り付けられるベース部２１と、同ベース部２１に対して旋回軸３０を中心に首振り可能に支持されたカバー本体４０とからなり、いずれも半割部品である。カバー本体４０は、左右の当接部５２が、ベース部２１に設けられた左右の係合爪３５の鈎部３６に当たって旋回が規制される真直位置と、いずれか一方の当接部５２が係合爪３５の鈎部３６の裏側に弾性的に係止された左または右の旋回位置とに選択的に保持される。【選択図】図１
2007250397.tif 000002
【特許請求の範囲】
【請求項１】
電線の先端に設けた端子金具を収容するキャビティを備えたコネクタハウジングと、このコネクタハウジングに取り付けられてコネクタハウジングから引き出された電線を周囲から取り囲むとともに前記キャビティの軸線と直交する旋回軸の回りで旋回可能とされた電線カバーと、この電線カバーを前記コネクタハウジングから引き出された前記電線が前記キャビティの軸線に沿って延びる状態となる第１位置と、前記コネクタハウジングから引き出された前記電線が前記キャビティの軸線に対して屈曲された状態となる第２位置とに保持可能なロック機構とを備えたことを特徴とするコネクタ。
【請求項２】
前記電線カバーは、前記キャビティの軸線及び前記旋回軸と直交する方向に分割可能な一対の半割部品からなることを特徴とする請求項１記載のコネクタ。
【請求項３】
前記電線カバーは、前記コネクタハウジングに対して固定的に取り付けられるベース部と、このベース部に対して前記コネクタハウジングとは反対側にあってベース部に対して旋回可能に取り付けられたカバー本体とからなり、前記ベース部及び前記カバー本体の一方及び他方には前記旋回軸及びこれと係合する軸孔が形成されていることを特徴とする請求項１または請求項２記載のコネクタ。
【請求項４】
前記カバー本体には、その内部を貫通する前記電線との間をシールするシール部材が保持されていることを特徴とする請求項３記載のコネクタ。
【請求項５】
前記ベース部を構成する一対の半割部品の分割部分に前記旋回軸が二分割型に形成され、前記カバー本体を構成する一対の半割部品の分割部分に前記旋回軸が貫通する軸孔が二分割型に形成されていることを特徴とする請求項３または請求項４記載のコネクタ。
【請求項６】
前記ロック機構は、前記カバー本体の前記ベース部寄りに設けた当接部と、この当接部が当接して旋回が規制されることで前記カバー本体が前記第１位置に保持される弾性係合爪とを備えて構成され、前記弾性係合爪は前記カバー本体を前記第１位置から強制的に旋回させることで変形し、前記カバー本体が前記第２位置に至って弾性的に復帰して前記当接部と係合することで前記カバー本体をその第２位置に保持する弾性を有していることを特徴とする請求項３ないし請求項５のいずれかに記載のコネクタ。
【請求項７】
前記ロック機構は、前記電線が前記キャビティの軸線に対して屈曲する角度が異なる複数種類の前記第２位置に前記カバー本体を保持可能であることを特徴とする請求項１ないし請求項６のいずれかに記載のコネクタ。
【発明の詳細な説明】
【技術分野】
【０００１】
本発明は、電線の先端の端子金具を収容するコネクタハウジングと、これから引き出された電線を覆う電線カバーとを含むコネクタに関する。
【背景技術】
【０００２】
コネクタは、複数本の電線の端末に接続された端子金具を収容するために使用されるもので、その一種に、端子金具を収容するコネクタハウジングと、このコネクタハウジングから引き出された電線を覆ってコネクタハウジングに取り付けられる筒形状の電線カバーとを含むものがある。  
上記タイプの従来のコネクタ（特許文献１参照）では、コネクタハウジングは端子金具を収容する収容部を有し、電線カバーは分割可能な一対の半割部品からなり、組み付けられたときに筒形状をなす。電線カバーは、コネクタハウジングの後端部から引き出された電線の引出し部を覆うとともに、コネクタハウジングの後端面に取り付けられている。
【０００３】
ここで、従来のコネクタにおける筒形状の電線カバーの軸線方向は、コネクタハウジングの軸線方向（端子金具の挿入方向）とほぼ一致しており、従って電線カバーはコネクタハウジングと同一直線上に位置している。そのため、電線の引出し部の引出し方向が、電線カバーによってコネクタハウジングの軸線の延長線上に規定されていた。
【特許文献１】特開平１０−２７６４５号公報
【発明の開示】
【発明が解決しようとする課題】
【０００４】
ところで、電線の反対側の端部が接続される相手の接続部は、コネクタハウジングの軸線の延長線上に配置されているとは限らず、軸線と交差する方向にずれた場所に配置されていることもある。この場合は、電線の引出し部を途中で屈曲させることが必要となるが、従来のコネクタでは電線カバーが電線の引出し方向を規定しているため、電線は電線カバーからある程度の引き出された後でなければ屈曲できない。電線の引出し部をコネクタハウジングから引き出された直後に屈曲させるためには、上記従来のコネクタ（一般コネクタ）とは別に、コネクタハウジングの軸線に対して電線カバーが斜め方向に取り付けられた少なくとも一つの専用コネクタが必要となる。
【０００５】
しかし、このように一つまたは複数の専用コネクタを準備しておかなければならないことにより、コネクタの管理が面倒となり、また、製造する成型用金型が多種類必要となって、製造コストの上昇に繋がるという問題があった。  
本発明は上記のような事情に基づいて完成されたものであって、コネクタハウジングと一つの電線カバーとを含む簡単な構成でありながら、電線を任意の方向に引き出すことができるコネクタを提供することを目的とする。
【課題を解決するための手段】
【０００６】
上記の目的を達成するための手段として、請求項１の発明は、電線の先端に設けた端子金具を収容するキャビティを備えたコネクタハウジングと、このコネクタハウジングに取り付けられてコネクタハウジングから引き出された電線を周囲から取り囲むとともに前記キャビティの軸線と直交する旋回軸の回りで旋回可能とされた電線カバーと、この電線カバーを前記コネクタハウジングから引き出された前記電線が前記キャビティの軸線に沿って延びる状態となる第１位置と、前記コネクタハウジングから引き出された前記電線が前記キャビティの軸線に対して屈曲された状態となる第２位置とに保持可能なロック機構とを備えた構成としたところに特徴を有する。
【０００７】
請求項２の発明は、請求項１に記載のものにおいて、前記電線カバーは、前記キャビティの軸線及び前記旋回軸と直交する方向に分割可能な一対の半割部品からなるところに特徴を有する。  
請求項３の発明は、請求項１または請求項２に記載のものにおいて、前記電線カバーは、前記コネクタハウジングに対して固定的に取り付けられるベース部と、このベース部に対して前記コネクタハウジングとは反対側にあってベース部に対して旋回可能に取り付けられたカバー本体とからなり、前記ベース部及び前記カバー本体の一方及び他方には前記旋回軸及びこれと係合する軸孔が形成されているところに特徴を有する。
【０００８】
請求項４の発明は、請求項３に記載のものにおいて、前記カバー本体には、その内部を貫通する前記電線との間をシールするシール部材が保持されているところに特徴を有する。  
請求項５の発明は、請求項３または請求項４に記載のものにおいて、前記ベース部を構成する一対の半割部品の分割部分に前記旋回軸が二分割型に形成され、前記カバー本体を構成する一対の半割部品の分割部分に前記旋回軸が貫通する軸孔が二分割型に形成されているところに特徴を有する。
【０００９】
請求項６の発明は、請求項３ないし請求項５のいずれかに記載のものにおいて、前記ロック機構は、前記カバー本体の前記ベース部寄りに設けた当接部と、この当接部が当接して旋回が規制されることで前記カバー本体が前記第１位置に保持される弾性係合爪とを備えて構成され、前記弾性係合爪は前記カバー本体を前記第１位置から強制的に旋回させることで変形し、前記カバー本体が前記第２位置に至って弾性的に復帰して前記当接部と係合することで前記カバー本体をその第２位置に保持する弾性を有しているところに特徴を有する。  
請求項７の発明は、請求項１ないし請求項６のいずれかに記載のものにおいて、前記ロック機構は、前記電線が前記キャビティの軸線に対して屈曲する角度が異なる複数種類の前記第２位置に前記カバー本体を保持可能であるところに特徴を有する。
【発明の効果】
【００１０】
＜請求項１の発明＞
１つの電線カバーを旋回軸回りで旋回させてロック機構で保持することにより、電線を同電線が接続される相手の接続部の配置場所に応じた方向に引き出すことができる。１つのコネクタで相手の接続部の異なる配置場所に対応することができるから、複数のコネクタの準備は不要となる。その結果、コネクタの管理が簡単になり、また成形用金型も少種類で済むことにより、設備コストひいては製造コストの低減を図ることができる。また、電線カバーはロック機構により所定位置に支持されるから、意に反して旋回する心配はない。
【００１１】
＜請求項２の発明＞
電線カバーが分割可能な一対の半割部品で形成されているから、電線の引出し部分に対してその両側（軸線と直交する方向）から装着することができ、これにより電線の引出し部分への電線カバーの装着が容易になる。  
＜請求項３の発明＞
コネクタハウジングに取り付けられたベース部に対して、カバー本体が旋回軸回りに旋回可能とされる。ベース部をコネクタハウジングに取り付ける前に端子金具をコネクタハウジングに挿入するようにすると、広いスペースが利用できて挿入作業が簡単にできる。
【００１２】
＜請求項４の発明＞
カバー本体と電線との間がシール部材によってシールされる。
＜請求項５の発明＞
旋回軸と軸孔とが二分割型であるから、抜き型等を含めて成型用金型の構造が簡単にできる。
【００１３】
＜請求項６の発明＞
カバー本体は、当接部が弾性係止爪に当接して旋回が規制されることで第１位置に保持され、またこの第１位置から弾性係止爪を変形させつつ強制旋回して同弾性係止爪が復元変形して当接部に係合することにより第２位置に保持される。簡単な構造並びに操作により、カバー本体を第１位置と第２位置とで選択的に保持することができる。  
＜請求項７の発明＞
カバー本体を３位置以上の複数位置に保持でき、それだけ電線の引出し方向の選択の幅が広がるから、使い勝手に優れたものとなる。
【発明を実施するための最良の形態】
【００１４】
＜実施形態＞
以下、本発明の一実施形態を図１ないし図９に基づいて説明する。この実施形態では、雌コネクタに適用した場合を例示している。  
本実施形態の雌コネクタは、図１ないし図３に示すように、コネクタハウジング１０（以下、単にハウジング１０という）、電線カバー２０及びコルゲートチューブ６０を備えている。  
ハウジング１０は合成樹脂製であって、図２及び図４に示すように、角に丸みを付けたやや扁平な収容部１１を有し、その収容部１１の前端側の回りにフード部１２が形成された形状となっている。このフード部１２内に、相手の雄コネクタ（図示せず）が、パッキンを介在させて嵌合される。
【００１５】
ハウジング１０の収容部１１内には、前後方向を向いたキャビティ１４が、図示５個ずつ上下２段に整列して形成されている。各キャビティ１４の入口部１４Ａは、個別に分離して後方に突設されている。各キャビティ１４内には、電線Ｗの端末に接続された端子金具（図示せず）が入口部１４Ａから挿入されて収容され、各入口部１４Ａは、端子金具の後方に装着されたゴム栓によってシールされている。  
ハウジング１０の上面には、弾性変形可能なロックアーム１６が設けられ、相手の雄コネクタとの間を正規の嵌合状態にロックし得るようになっている。ロックアーム１６の幅方向の両側には、一対の保護部１７が配されている。
【００１６】
ハウジング１０の収容部１１におけるフード部１２の後面から突出した部分では、個別の入口部１４Ａよりも前方において、同入口部１４Ａの集合部分よりも一回り大きい取付部１８が設けられている。この取付部１８における幅方向の両側の外周面には、後端寄りの位置において、電線カバー２０を取り付けるための一対の突部１９が、側方に突出して形成されている。
【００１７】
ハウジング１０の後端側には、電線カバー２０が取り付けられるようになっている。この電線カバー２０は、ハウジング１０の取付部１８に取り付けられるベース部２１と、このベース部２１に旋回可能に取り付けられるカバー本体４０とから構成されている。  
ベース部２１は合成樹脂製であって、全体としてはキャビティ１４の入口部１４Ａの集合部分からその後方を取り囲むことが可能なやや扁平な筒状に形成されている。より詳細には、図３に示すように、前端側の内周に、キャビティ１４の入口部１４Ａの集合部分を囲む内向きの鍔部２３が形成され、また後方側が縮径された段付き状に形成されている。そして、このベース部２１は、左右に半割りされた一対の第１半割ベース部２２Ａと第２半割ベース部２２Ｂとから構成されている。
【００１８】
正面から見た左側（図１の上側）の第１半割ベース部２２Ａには、上下の壁部における前端寄りの位置の分割端縁の外面に、係止突起２５が突設されている。一方、第２半割ベース部２２Ｂにおける上下の壁部の分割端縁の対向した位置からは、上記の係止突起２５が嵌る係止孔２７が開口された係止片２６が突設されている。係止片２６は、その突出端（自由端）側が上下方向に弾性変形可能となっている。  
また、両半割ベース部２２Ａ，２２Ｂの側壁部の前縁からは、上記したハウジング１０の取付部１８に突設された突部１９に嵌る係合孔２９を設けた比較的厚肉の取付板２８が突設されている。
【００１９】
ベース部２１の上下の壁部における後端部には、その幅方向の中央部において、旋回軸３０が突設されている。この旋回軸３０は、図５Ａ〜図５Ｃにも示すように、円柱状でかつ突出端に外れ止め用に円盤部３１が設けられた形状であって、この旋回軸３０も、左右の半円柱部３０Ａ，３０Ｂ（半円盤部３１Ａ，３１Ｂを含む）に半割されて、各半割ベース部２２Ａ，２２Ｂの分割端縁の後部寄りの位置からそれぞれ突設されている。  
また、両半割ベース部２２Ａ，２２Ｂの側壁部における大径部３３の後端位置からは、左右で対をなす係合爪３５が突設されている。各係合爪３５は、後方に延び、かつ延出端に内向きの鈎部３６が設けられた形状であって、鈎部３６側が左右方向に弾性変形可能となっている。
【００２０】
そして、両半割ベース部２２Ａ，２２Ｂの分割端縁同士を突き合わせると、係止突起２５が係止片２６の係止孔２７に嵌ることで、一体の筒状をなすベース部２１が形成されるようになっている。この過程において、図５Ａ及び図５Ｂに示すように、半円盤部３１Ａ，３１Ｂを含む半円柱部３０Ａ，３０Ｂ同士が合わさって、円盤部３１付きの旋回軸３０が形成されるようになっている。  
また、左右の取付板２８の係合孔２９に、ハウジング１０の取付部１８の突部１９を嵌合することで、ベース部２１がハウジング１０に対して取り付けられるようになっている。
【００２１】
カバー本体４０は、同じく合成樹脂製であって、全体としては、上記したベース部２１の小径部３７の外周に嵌合可能な筒状に形成されている。カバー本体４０の後端側の内周面には、コルゲートチューブ６０を保持するべく周方向の突条４３と溝４４とが交互に複数ずつ形成された保持部４２が形成されている。このカバー本体４０も同様に、左右に半割りされた一対の第１半割カバー部４１Ａと第２半割カバー部４１Ｂとから構成されている。保持部４２も当然に半割された状態となる。
【００２２】
右側（図１の下側）の第２半割カバー部４１Ｂには、上下の壁部における中央部よりも若干後端寄りの位置の分割端縁の外面に、係止突起４５が突設されている。一方、第１半割カバー部４１Ａにおける上下の壁部の分割端縁の対向した位置からは、上記の係止突起４５が嵌る係止孔４７が開口された係止片４６が突設されている。係止片４６は、その突出端（自由端）側が上下方向に弾性変形可能となっている。
【００２３】
カバー本体４０の上下の壁部における前端部には、その幅方向の中央部において、上記した旋回軸３０が嵌合される軸孔５０が開口されている。この軸孔５０は旋回軸３０における円盤部３１より下側のほぼ全高にわたって緊密に嵌合可能となっている。この軸孔５０も左右の半円孔５０Ａ，５０Ｂに半割されて、各半割カバー部４１Ａ，４１Ｂの分割端縁の前部寄りの位置に切り欠き形成されている。  
また、両半割カバー部４１Ａ，４１Ｂの側壁部の前端位置には、左右で対をなす当接部５２が側方に張り出すようにして形成されている。なお、上記した係合爪３５の鈎部３６の裏側には、当接部５２が嵌るロック凹部３８が形成されている。
【００２４】
そして、両半割カバー部４１Ａ，４１Ｂの前端側を、ベース部２１の後端部の外周に嵌めた状態で、分割端縁同士を突き合わせると、係止突起４５が係止片４６の係止孔４７に嵌ることで、一体の筒状をなすカバー本体４０が形成される。それに伴い、図５Ｂ及び図５Ｃに示すように、両半割カバー部４１Ａ，４１Ｂの半円孔５０Ａ，５０Ｂがベース部２１の旋回軸３０を挟むようにして合わさって円形の軸孔５０が形成され、言い換えると、旋回軸３０が軸孔５０内に回転可能に嵌合した状態となって、カバー本体４０がベース部２１に対して、旋回軸３０を中心として旋回可能（首振り可能）に支持された状態となる。またそのとき、図２に示すように、カバー本体４０の左右の当接部５２は、ベース部２１に設けられた左右の係合爪３５の鈎部３６の直後に位置するようになっている。
【００２５】
なお、コルゲートチューブ６０は、チューブ本体６１の外周面に周方向の突条６２と溝６３とを交互に繰り返して形成したものであって、複数本の電線Ｗが挿通可能であるとともに、適度な可撓性を有している。このコルゲートチューブ６０の外周面が、カバー本体４０の内周面に設けられた保持部４２と凹凸嵌合することによって、コルゲートチューブ６０がカバー本体４０内に抜け止めされて挿通され、またカバー本体４０の後端側において電線Ｗとの間をシールすることに機能するようになっている。
【００２６】
続いて、本実施形態の作用を説明する。組み付けに当たっては、ベース部２１をハウジング１０から外した状態でかつ分割状態とし、またカバー本体４０をベース部２１から外した状態でかつ分割状態としておく。一方、コルゲートチューブ６０は電線Ｗの束の外側に挿通される。この状態から、図１に示すように、各電線Ｗの端末に接続された端子金具が、対応するキャビティ１４内に挿入されて収容される。言い換えると、ハウジング１０の後面から電線Ｗの束が真直に引き出され、コルゲートチューブ６０内に挿通された状態となる。
【００２７】
次に、ハウジング１０の後面側において、両半割ベース部２２Ａ，２２Ｂの分割端縁同士を突き合わせると、係止片２６が弾性変形しつつ係止突起２５に乗り上げたのち、図２に示すように、復元変形して同係止片２６の係止孔２７に係止突起２５が嵌ることで、一体のベース部２１が組み付けられ、併せて、図３に示すように、左右の取付板２８の係合孔２９に、ハウジング１０の取付部１８の左右の突部１９が嵌ることで、ベース部２１がハウジング１０に対して固定的に取り付けられる。同時に、両方の半円盤部３１Ａ，３１Ｂを含む半円柱部３０Ａ，３０Ｂ同士が合わさって、円盤部３１付きの旋回軸３０が形成される。
【００２８】
続いて、両半割カバー部４１Ａ，４１Ｂを、それぞれの前端部でベース部２１の後端部を左右から挟むようにして、分割端縁同士を突き合わせると、図２に示すように、係止突起４５が係止片４６の係止孔４７に弾性的に嵌ることで、一体のカバー本体４０が形成される。これに伴い、図３に示すように、後端側の内周面に形成された保持部４２に、コルゲートチューブ６０の前端側の外周面が凹凸嵌合し、コルゲートチューブ６０が抜け止めされるとともに、カバー本体４０の後端側の開口縁と電線Ｗとの間がシールされた状態となる。  
それとともに、両半割カバー部４１Ａ，４１Ｂの半円孔５０Ａ，５０Ｂがベース部２１の旋回軸３０を挟むようにして合わさって円形の軸孔５０が形成され、すなわち旋回軸３０が軸孔５０内に回転可能に嵌合した状態となって、カバー本体４０がベース部２１に対して、旋回軸３０を中心として旋回可能（首振り可能）に支持される。
【００２９】
次に、カバー本体４０の旋回による電線Ｗの引出し方向の変更について説明する。ハウジング１０から引き出された電線Ｗの他端側を、相手の接続部に接続するに当たり、同接続部が、ハウジング１０の軸線方向のほぼ後方にある場合には、図２及び図３に示すように、カバー本体４０は旋回することなく組付状態のままに留める。この状態では、カバー本体４０の前端部に設けられた左右一対の当接部５２が、ベース部２１の左右の係合爪３５における鈎部３６の直後に位置しているから、同当接部５２が対応する係合爪３５の鈎部３６に当接することでカバー本体４０が旋回することが規制され、カバー本体４０が、ハウジング１０並びにベース部２１と軸線同士を一致させた真直位置（第１位置）に保持され、ハウジング１０から電線Ｗが後方に向けてほぼ真直に引き出される場合に好適となる。
【００３０】
それに対して、相手の接続部がハウジング１０の軸線の後方延長線から、正面から見た右側（図２及び図３で下方）にずれた位置に配されている場合は、図６及び図７に示すように、カバー本体４０を旋回軸３０を中心に同図の時計回り方向に旋回させる。そうすると、右側（同図の下側）の当接部５２が、対応する係合爪３５の鈎部３６に当たって係合爪３５を外側に弾性変形させつつ鈎部３６の内側を通り、鈎部３６を通過したところで、係合爪３５が復元弾力で閉じて、当接部５２が鈎部３６の裏側のロック凹部３８に嵌って係止されることにより、カバー本体４０は右旋回位置（第２位置）に保持される。このカバー本体４０の旋回に伴い、ハウジング１０から引き出された電線Ｗは、ベース部２１から出たほぼ直後で右側にスムーズに屈曲され、そののち斜め右側に向けて配線される。
【００３１】
また、相手の接続部がハウジング１０の軸線の後方延長線から、左側（図２及び図３で上方）にずれた位置に配されている場合は、図８及び図９に示すように、カバー本体４０を旋回軸３０を中心に同図の反時計回り方向に旋回させる。そうすると、左側（同図の上側）の当接部５２が、同様に対応する係合爪３５の鈎部３６に当たって係合爪３５を外側に弾性変形させつつ鈎部３６の内側を通り、鈎部３６を通過したところで、係合爪３５が復元弾力で閉じて、当接部５２が鈎部３６の裏側のロック凹部３８に嵌って係止されることにより、カバー本体４０は左旋回位置（別の第２位置）に保持される。このカバー本体４０の旋回に伴い、ハウジング１０から引き出された電線Ｗは、ベース部２１から出たほぼ直後で左側にスムーズに屈曲され、そののち斜め左側に向けて配線される。
【００３２】
この実施形態によれば、以下の効果が得られる。共通の電線カバー２０を共通のハウジング１０に装着する形態でありながらも、電線Ｗを相手の接続部の配設位置に応じて、３通りの方向に引き出すことができる。端的には、１種類のハウジング１０と電線カバー２０とで、向きが異なる３通りの配線に対応できるから、ハウジング１０や電線カバー２０を複数種備える必要が無くなる。その結果、コネクタの部品管理が簡単になり、また成形用金型も少種類で済むことにより、設備コストひいては製造コストの低減を図ることができる。
【００３３】
電線カバー２０を構成するベース部２１とカバー本体４０とを、分割可能な一対の半割部品で形成したから、電線Ｗのハウジング１０からの引出し部分に対して、その両側（軸線と直交する方向）から装着することができ、これにより電線Ｗの引出し部分への電線カバー２０の装着が容易になる。  
また、ベース部２１がハウジング１０とは別体に形成されて、後付けできるようになっているから、ベース部２１をハウジング１０に取り付ける前に端子金具をハウジング１０のキャビティ１４に挿入するようにすると、広いスペースが利用できて挿入作業が簡単にできる。
【００３４】
カバー本体４０は、当接部５２がベース部２１に設けられた係合爪３５の鈎部３６に当接して旋回が規制されることで真直位置（第１位置）に保持され、またこの真直位置から係合爪３５を弾性変形させつつ強制旋回し、同係合爪３５が復元変形して鈎部３６が当接部５２に係止することにより、右または左の旋回位置（第２位置）に保持される。簡単な構造並びに操作により、カバー本体４０を第１位置と第２位置とで選択的に保持することができる。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）カバー本体をベース部に対して旋回可能に支持する場合に、上記実施形態とは逆に、カバー本体側に旋回軸を、ベース部側に軸孔を設ける構造としてもよい。  
（２）ベース部並びにカバー本体は、半割されておらず一体物として形成されていてもよい。  
（３）上記実施形態に例示したベース部は、ハウジングと一体に形成されていてもよい。この場合は、カバー本体が、本発明に言う電線カバーとなる。
【００３６】
（４）上記実施形態では、カバー本体を３つの位置に保持可能としていたが、２つの位置または４以上の位置に保持できるようにしてもよい。  
（５）上記実施形態では、カバー本体がハウジングの幅方向（左右方向）に旋回可能とした場合を例示したが、ハウジングの高さ方向（上下方向）に旋回できるようにしてもよい。  
（６）上記実施形態では、電線の引出し部分にコルゲートチューブが嵌装されている場合を例示したが、同引出し部分はテープ巻きされて纏められているようなものにも、適用可能である。  
（７）本発明は、上記実施形態に例示した雌側のコネクタに限らず、雄側のコネクタにも同様に適用することができる。
【図面の簡単な説明】
【００３７】
【図１】本発明の一実施形態の分解平面図
【図２】カバー本体が真直位置に保持された状態の平面図
【図３】その平断面図
【図４】ハウジングの正面図
【図５Ａ】旋回軸の形成動作を示す斜視図
【図５Ｂ】軸孔の形成動作を示す斜視図
【図５Ｃ】軸孔の形成後の状態の斜視図
【図６】カバー本体が右旋回位置に保持された状態の平面図
【図７】その平断面図
【図８】カバー本体が左旋回位置に保持された状態の平面図
【図９】その平断面図
【符号の説明】
【００３８】
Ｗ…電線
１０…コネクタハウジング
１１…収容部
１４…キャビティ
１８…取付部
１９…突部
２０…電線カバー
２１…ベース部
２２Ａ，２２Ｂ…半割ベース部（半割部品）
２５…係止突起
２６…係止片
３０…旋回軸
３０Ａ，３０Ｂ…半円柱部
３５…係合爪（弾性係合爪：ロック機構）
３６…鈎部
４０…カバー本体
４１Ａ，４１Ｂ…半割カバー部（半割部品）
４５…係止突起
４６…係止片
５０…軸孔
５０Ａ，５０Ｂ…半円形孔
５２…当接部（ロック機構）
【図１】
2007250397.tif 000003
【図２】
2007250397.tif 000004
【図３】
2007250397.tif 000005
【図４】
2007250397.tif 000006
【図５Ａ】
2007250397.tif 000007
【図５Ｂ】
2007250397.tif 000008
【図５Ｃ】
2007250397.tif 000009
【図６】
2007250397.tif 000010
【図７】
2007250397.tif 000011
【図８】
2007250397.tif 000012
【図９】
2007250397.tif 000013